(57)【要約】【課題】下部背負い帯の幅方向の面が脇腹に沿い、背負ったランドセル本体の横方向の安定性を向上させ、脇腹に違和感や痛みを与えることのないランドセルを提供する。【解決手段】ランドセル本体１２の背板１３の側に取付けた一対の背負い帯１４が、上端を背板１３の上部に取付けて下方に折り返し状とする上部背負い帯１６と、下端をランドセル本体１２における底板１７の外端部寄りの位置に取付けた下部背負い帯１８とからなり、前記一対の背負い帯１４における下部背負い帯１８を、長さ方向に対して、互いに相反する外側に向けて弧状に膨出する湾曲形状に形成してある。【選択図】図２
2011024814.tif 000002
【特許請求の範囲】
【請求項１】
ランドセル本体の背板側に一対の背負い帯が取り付けられ、この背負い帯が、上端を背板の上部に取付けて下方に折り返し状とする上部背負い帯と、下端をランドセル本体における底板の外端部寄りの位置に取付けた下部背負い帯とからなり、上部背負い帯の下端と下部背負い帯を接続金具で長さの調整が可能なように接続したランドセルにおいて、
前記一対の背負い帯における下部背負い帯を、長さ方向に対して、互いに相反する外側に向けて弧状に膨出する湾曲形状に形成したことを特徴とするランドセル。
【請求項２】
上記下部背負い帯の上端部が、長さ方向に対して、互いに相反する外側に曲がる屈曲部が設けられていることを特徴とする請求項１に記載のランドセル。
【発明の詳細な説明】
【技術分野】
【０００１】
この発明は、ランドセル、更に詳しくは、ランドセル本体の背板側に取付けた背負い帯の構造に関する。
【背景技術】
【０００２】
周知のように、ランドセルは、ランドセル本体の背板側に左右一対の背負い帯を取付け、肩にかけて歩行できるような構造になっている。
【０００３】
上記した左右一対の背負い帯は、ランドセル本体を背負うことができると共に、体格に合わせてその長さが調整できるようになっており、上端を背板の上部に取付けて下方に折り返し状とする長い上部背負い帯と、下端をランドセル本体における底板の外端部寄りの位置に取付けた短い下部背負い帯とからなり、前記上部背負い帯の下端と下部背負い帯の上端を、一方に取付けたバックルと他方に形成した複数の調整孔との係合によって、長さの調整が可能なように接続した構造になっている。
【０００４】
従来のランドセルにおける背負い帯において、上部背負い帯は、長い帯状に形成され、その上端を、ランドセル本体の背板上部に対して下向きに折り返した状態で斜め外向きに取付け、背負ったときに上部が両肩に適合するようになっており、また、図６に一例を示すように、下部背負い帯１は、皮革や合成皮革を用いて短い直線状に縫製され、上端にバックル２が取付けられ、下端に取付けた割環３をランドセル本体の底板に回転可能となるよう設けた取付け軸に連結するようになっている。
【０００５】
このような下部背負い帯と上部背負い帯は、上部背負い帯の下端をバックルに通し、この上部背負い帯に設けた調整孔をバックルと係合させることにより連結し、所定の長さに設定した一対の背負い帯でランドセル本体を背負うことができるようにするものである。
【０００６】
上記のような一対の背負い帯でランドセル本体を背負ったとき、上部背負い帯は背筋の部分から肩を通って脇腹の部分まで延びた配置となり、また、下部背負い帯は脇腹の部分からこの脇腹を巻き込むようにしながらランドセル本体の底板に向けて延びる配置となる。
【発明の概要】
【発明が解決しようとする課題】
【０００７】
ところで、従来の下部背負い帯は、直線状に形成されていたため、ランドセル本体を背負ったとき、脇腹に沿った曲がり性が悪く、脇腹を巻き込むように曲がったときに、幅方向の一方側縁が脇腹に当接して厚み方向が脇腹から離反し、脇腹に沿った密着性が得られないため、背負ったランドセル本体の横方向の安定性が悪いという問題がある。
【０００８】
また、従来の下部背負い帯は、脇腹に対して幅方向の一方側縁が当接するので、脇腹に下部背負い帯の厚みが食い込むように作用し、脇腹に違和感や痛みを与えることになる。
【０００９】
そこで、この発明の課題は、下部背負い帯の幅方向の面が脇腹に沿うようにし、背負ったランドセル本体の横方向の安定性を向上させると共に、脇腹に違和感や痛みを与えることのないランドセルを提供することにある。
【課題を解決するための手段】
【００１０】
上記の課題を解決するため、この発明は、ランドセル本体の背板側に一対の背負い帯が取り付けられ、この背負い帯が、上端を背板の上部に取付けて下方に折り返し状とする上部背負い帯と、下端をランドセル本体における底板の外端部寄りの位置に取付けた下部背負い帯とからなり、上部背負い帯の下端と下部背負い帯を接続金具で長さの調整が可能なように接続したランドセルにおいて、前記一対の背負い帯における下部背負い帯を、長さ方向に対して、互いに相反する外側に向けて弧状に膨出する湾曲形状に形成したものである。
【００１１】
上記下部背負い帯の上端部が、長さ方向に対して、互いに相反する外側に曲がる屈曲部が設けられている構造としてもよい。
【００１２】
ここで、上記下部背負い帯は、両側縁を円弧状に裁断した皮革や合成皮革を用いて縫製され、左右一対の配置で使用されたとき、両側下部背負い帯は、両側縁の円弧が互いに相反する外側に向けて湾曲するよう左右対称に形成され、この下部背負い帯の上端にバックルが取付けられ、下端に取付けた割環をランドセル本体の底板に回転可能となるよう設けた取付け軸に連結するようになっている。
【発明の効果】
【００１３】
この発明によると、背負い帯の下部背負い帯を、長さ方向に対して、互いに相反する外側に向けて弧状に膨出する湾曲形状に形成したので、ランドセル本体を背負ったとき、下部背負い帯は弧状に湾曲しているので、幅方向の面が脇腹に沿って密着するようになり、脇腹に沿って巻きつくことで、背負ったランドセル本体の横方向の安定性を向上させることができる。
【００１４】
また、下部背負い帯は、幅方向の面が脇腹に沿って巻きつくことで、密着性がよくなり、脇腹に違和感や痛みを与えることがない。
【図面の簡単な説明】
【００１５】
【図１】この発明に係るランドセルの背板側下部から見た斜視図
【図２】この発明に係るランドセルの底面図
【図３】この発明に係るランドセルの下部背負い帯を左右一対の状態で示す第１の例の正面図
【図４】この発明に係るランドセルの下部背負い帯を左右一対の状態で示す第２の例の正面図
【図５】この発明に係るランドセルの背負い状態を示す斜視図
【図６】従来のランドセルにおける下部背負い帯を単独で示す正面図
【発明を実施するための形態】
【００１６】
以下、この発明の実施の形態を図示例に基づいて説明する。
【００１７】
図１と図２のように、ランドセル１１は、収納部となるランドセル本体１２における背板１３の側に、背負ったときに上部が両肩に適合するようになっている左右一対の背負い帯１４を取付た構造になっている。
【００１８】
上記背負い帯１４は、上端をランドセル本体１２の背板１３の上部に対して取付け具１５で、下向きに折り返した状態で斜め外向きに取付けた長い上部背負い帯１６と、下端をランドセル本体１２における底板１７の外端部寄りの位置に取付けた短い下部背負い帯１８とからなり、前記上部背負い帯１６の下端と下部背負い帯１８の上端を、下部背負い帯１８に取付けたバックル１９と上部背負い帯１６に形成した複数の調整孔２０との係合によって接続し、ランドセル本体１２を背負うことができると共に、体格に合わせてその長さが調整できるようになっている。
【００１９】
図１乃至図３に示す第１の例の下部背負い帯１８は、左右一対の配置で使用されたとき、長さ方向に対して、互いに相反する外側に向けて弧状に膨出する左右対称の湾曲形状に形成されている。
【００２０】
上記下部背負い帯１８は、両側縁を大き目の円弧状に裁断した皮革や合成皮革を用いて縫製され、上端にバックル１９が取付けられ、下端に取付けた割環２１をランドセル本体１２の底板１７で、両側の位置に回転可能となるよう設けた取付け軸２２に連結するようになっている。前記バックル１９と割環２１の下部背負い帯１８への取付けは、下部背負い帯１８の端部折り返し部分を縫着とカシメの単用又は併用により固着することで行うことができる。
【００２１】
ちなみに、下部背負い帯１８の両端部間の直線的な長さは１８０ｍｍ程度、両端部の幅が３０ｍｍ程度、両側縁の円弧縁は、中間部から両端の途中までの円弧部１８ａと、両端部が円弧から連なった直線部１８ｂの組合わせになっている。
【００２２】
図４は、第２の例の下部背負い帯１８を示している。なお、第１の例と同一部分には同一符号を付すことによって説明に代える。
【００２３】
第２の例の下部背負い帯１８は、左右一対の配置で使用されたとき、長さ方向に対して、上端寄りの中間から下端間の長い部分が、第１の例と同様、互いに相反する外側に向けて弧状に膨出する左右対称の湾曲形状に形成され、上端から上端寄りの中間までの短い部分を、互いに相反する外側に向けて曲がる弧状の屈曲部１８ｃとし、長い円弧と短い円弧の組合わせによって形成したものである。
【００２４】
この発明のランドセル１１は、上記のような構成であり、ランドセル本体１２に取付けた上部背負い帯１６と下部背負い帯１８を接続することで、背板１３の側に設けられた一対の背負い帯１４を肩にかけて背負うものであり、図５のように、ランドセル本体１２を背負ったとき、上部背負い帯１６は背筋の部分から肩を通って脇腹の部分まで延びた配置となり、また、下部背負い帯１８は脇腹の部分からこの脇腹を巻き込むようにしながらランドセル本体１２の底板１７に向けて延びる配置となる。
【００２５】
このとき、下部背負い帯１８は、長さ方向に対して、互いに相反する外側に向けて弧状に膨出する左右対称の湾曲形状に形成されているので、下部背負い帯１８が脇腹を巻き込むように曲がるときに、脇腹に沿う曲がり性がよくなって内側面が脇腹にむくようになり、これによって、幅方向の内側面が脇腹に沿って密着し、下部背負い帯１８が脇腹に沿って巻きつくことで、脇腹に対する下部背負い帯１８の遊離部分の発生が少なくなり、背負ったランドセル本体１２の横方向の安定性を向上させることができる。
【００２６】
また、下部背負い帯１８は、幅方向の面が脇腹に沿って密着することで、脇腹に対する密着性がよくなり、脇腹に違和感や痛みを与えることがなくなる。
【００２７】
なお、第２の例の下部背負い帯１８においては、上端から上端寄りの中間までの短い部分を、外側に向けて弧状に屈曲させてあるので、図４のように、ランドセル本体１２に取付けた左右一対の配置において、上端に取付けたバックル１９が長さ方向の直線に対して少し外開きの配置となり、このため、バックル１９で接続する上部背負い帯１６の下端を両側に広げた配置とすることができ、上部背負い帯１６を肩から脇腹へと滑らかに誘導することで、胸に対する圧迫感を少なくすることができる。
【符号の説明】
【００２８】
１１        ランドセル
１２        ランドセル本体
１３        背板
１４        背負い帯
１５        取付け具
１６        上部背負い帯
１７        底板
１８        下部背負い帯
１８ａ      円弧部
１８ｂ      直線部
１８ｃ      屈曲部
１９        バックル
２０        調整孔
２１        割環
２２        取付け軸
【図１】
2011024814.tif 000003
【図２】
2011024814.tif 000004
【図３】
2011024814.tif 000005
【図４】
2011024814.tif 000006
【図５】
2011024814.tif 000007
【図６】
2011024814.tif 000008